(57)【要約】      （修正有）【課題】排水トラップ内に溜まっている尿の置換率を向上させる小便器を提供する。【解決手段】洗浄水によりボウル部１２を洗浄する小便器１０であって、ボウル部に洗浄水を吐水し洗浄する吐水部１６と、ボウル部の底部に設けられた排水口１８から下向きに流れてきた洗浄水の流れを上向きに変更する折返流路を有する排水トラップ２０と、を備え、排水トラップに、折返流路内の外周側を流れる洗浄水を折返流路内の内周側に導く水流変更手段３６を設けた。【選択図】図１
2015063862.tif 000002
【特許請求の範囲】
【請求項１】
洗浄水によりボウル部を洗浄する小便器であって、
前記ボウル部に洗浄水を吐水し洗浄する吐水部と、
前記ボウル部の底部に設けられた排水口から下向きに流れてきた洗浄水の流れを上向きに変更する折返流路を有する排水トラップと、を備え、
前記排水トラップに、前記折返流路内の外周側を流れる洗浄水を前記折返流路内の内周側に導く水流変更手段を設けたことを特徴とする小便器。
【請求項２】
前記水流変更手段は、前記排水トラップ内を流れる洗浄水に旋回流を発生させることを特徴とする請求項１記載の小便器。
【請求項３】
前記水流変更手段は、前記排水トラップ内の前記折返流路の上流側に配設され、排水トラップの流れ方向を軸として洗浄水を旋回させる螺旋構造であることを特徴とする請求項２記載の小便器。
【請求項４】
前記排水口に着脱可能に取り付けられる目皿を有し、
前記目皿に前記水流変更手段を設けたことを特徴とする請求項１乃至請求項３の何れか１項に記載の小便器。
【請求項５】
前記水流変更手段は、前記排水トラップ内の内壁に形成されていることを特徴とする請求項１記載の小便器。
【発明の詳細な説明】
【技術分野】
【０００１】
本発明は、洗浄水によりボウル部を洗浄する小便器に関する。
【背景技術】
【０００２】
従来、小便器本体において使用者の尿を受けるボウル部の下方に形成された排水トラップを備えた小便器が知られている（例えば特許文献１参照）。小便器本体のボウル部の下部に排水口が設けられ、排水口に繋がるように排水トラップが設けられている。排水トラップは、排水口から流出した洗浄水を下方へと導く下降流路と、これより下流側に折返流路を介して設けられ洗浄水を上方へ導く上昇流路からなる略Ｕ字型状をしている。排水トラップには、接続管路によって、洗浄水を外部へ排出する排水管路が接続されている。つまり、排水トラップの上昇流路を経た洗浄水は、接続管路を介して排水管路に流れ込む。
【０００３】
排水トラップの下部には、下水からの臭気等のトイレ空間への侵入を防ぐため、洗浄水が所定量溜まっており、この溜水によって封水が形成されている。使用者が小便器を使用して排尿を行うと、排水トラップ内に尿が流れ込み、流れ込んだ尿によって溜水の一部が排出され、排水トラップ内は尿と水とが混在した状態となる。排尿後のボウル部に洗浄水を流すとその洗浄水が排水トラップ内に流れ込み、尿と水とが混在した状態の尿濃度の高い液体を排水トラップから排出させる。そのため、尿濃度の高い液体は、ほぼ洗浄水に置き換えられる。そして、尿濃度の低くなった液体（ほぼ洗浄水）が、排水トラップ内に溜まり、排水トラップ内は洗浄される。
【０００４】
このようにボウル部に洗浄水を流して排水トラップ内の尿を水に置換するにあたっては、置換後の状態、すなわち洗浄後の状態において、排水トラップ内に残存する尿が可能な限り少なくなることが好ましいものである。単純に排水トラップに溜まった溜水の置換率を上げるには、排水トラップ内の溜水量に対して供給する洗浄水量を増やす方法がある。なお置換率とは、小便器を洗浄するために洗浄水を流すことで、洗浄前である排尿後の尿濃度の高い溜水が、洗浄水にどれだけ置換されたかの割合である。つまり、置換率が低いと洗浄後の溜水における尿の残存が多くなり、置換率が高いと洗浄後の溜水における尿の残存が少なくなる。
【０００５】
一方、近年の環境意識の高まりを受けて、節水志向も更に高まっており、洗浄水の量は極力少なくすることが求められている。したがって、排水トラップ内の溜水の置換率を上げるために単純に洗浄水の量を増やす方法は好ましくない。
【先行技術文献】
【特許文献】
【０００６】
【特許文献１】特開２０１２−１４９４１５号公報
【発明の概要】
【発明が解決しようとする課題】
【０００７】
節水に対するニーズを満たすために、ボウル部に流れる洗浄水量をただ単に少なくすると、排水トラップ内に溜まっている尿と水とが混在した状態の液体の略全量を水に置換することが難しくなり、尿濃度の高い液体がその状態のまま排水トラップ内に溜まってしまう。尿濃度の高い液体が排水トラップ内に残ると、尿石の発生に繋がり、発生した尿石が次第に成長して堆積量が増大し、終には排水トラップを閉塞してしまう恐れや、悪臭が発生し不快に感じる。
【０００８】
本発明は前記事情にて鑑みて為されたものであり、その目的は、洗浄水の量を増加させることなく、節水を図りながら、排水トラップ内に溜まっている尿の置換率を向上させる小便器を提供することにある。
【課題を解決するための手段】
【０００９】
本発明の態様の１つは、洗浄水によりボウル部を洗浄する小便器であって、前記ボウル部に洗浄水を吐水し洗浄する吐水部と、前記ボウル部の底部に設けられた排水口から下向きに流れてきた洗浄水の流れを上向きに変更する折返流路を有する排水トラップと、を備え、前記排水トラップに、前記折返流路内の外周側を流れる洗浄水を前記折返流路内の内周側に導く水流変更手段を設けたことを特徴とする小便器である。
【００１０】
このように構成された本発明においては、洗浄時に排水トラップを流れる洗浄水は、水流変更手段によって、折返流路の外周側の流れが内周側に向くことで、排水トラップ内にて発生する淀みが抑えられ、尿濃度の高い液体が排水トラップ内に滞留することを防止できる。これにより、少ない洗浄水量でも効率良く尿を排出することによって、排水トラップ内の尿の大部分を洗浄水に置換できる。これにより、節水を図りながら、尿濃度の高い水による悪臭や尿石の発生を抑えることができる。
【００１１】
本発明の選択的な態様においては、前記水流変更手段は、前記排水トラップ内を流れる洗浄水に旋回流を発生させることを特徴とする小便器である。
【００１２】
このように構成された発明においては、水流変更手段によって、排水トラップの軸方向に対して旋回する旋回流へと洗浄水の流れを変更させ、旋回流が排水トラップに導かれることで淀みを打ち消すことができ、少ない洗浄水量でも効率よく尿を排出することによって、排水トラップ内の尿の大部分を洗浄水に置換できる。これにより、節水を図りながら、尿濃度の高い水による悪臭や尿石の発生を抑えることができる。
【００１３】
本発明の選択的な態様においては、前記水流変更手段は、前記排水トラップ内の前記折返流路の上流側に配設され、排水トラップの流れ方向を軸として洗浄水を旋回させる螺旋構造であることを特徴とする小便器である。
【００１４】
このように構成された発明においては、既存の小便器の排水トラップに水流変更手段を挿入すれば、少ない洗浄水量でも効率よく尿を排出することができるので、既存の小便器の節水化が図れる。また、水流変更手段を取り外すことができるので、排水トラップ内の清掃性も良い。
【００１５】
本発明の選択的な態様においては、前記排水口に着脱可能に取り付けられる目皿を有し、前記目皿に前記水流変更手段を設けたことを特徴とする小便器である。
【００１６】
このように構成された発明においては、排水口に着脱可能に取り付けられる目皿に水流変更手段を設けることで、既存の小便器に設置された目皿と、水流変更手段を設けた目皿を取り換えることで、排水トラップ内に容易に水流変更手段を設けることができ、少ない洗浄水量でも効率よく尿を排出することができるので、既存の小便器の節水化が図れる。また、水流変更手段を取り外すことができるので、清掃性も良い。
【００１７】
本発明の選択的な態様において、前記水流変更手段は、前記排水トラップ内の内壁に形成されていることを特徴とする小便器である。
【００１８】
このように構成された発明においては、水流変更手段は排水トラップ内の内壁に形成されているので、他の部材の必要がなく、コストを低減できる。
【発明の効果】
【００１９】
本発明の小便器によれば、節水を図りながら、排水トラップ内に溜まっている尿の置換率を向上させることができる。
【図面の簡単な説明】
【００２０】
【図１】本発明の一実施形態に係る小便器の側面断面図。
【図２】本発明の一実施形態に係る小便器の目皿の上面図。
【図３】本発明の一実施形態に係る小便器の目皿と水流変更手段の斜視図。
【図４】本発明の一実施形態に係る小便器の水流変更手段による旋回流の側面断面図。
【図５】従来の小便器における洗浄水の流れを表した側面断面図。
【図６】本発明の他の一実施形態に係る小便器の目皿と水流変更手段の上面図。
【図７】本発明の他の一実施形態に係る小便器の側面断面図。
【図８】本発明の他の一実施形態に係る小便器における洗浄水の流れを表した側面断面図。
【発明を実施するための形態】
【００２１】
以下、本発明の実施の形態について図面を参照しつつ説明する。なお、各図面中、同様の構成要素には同一の付号を付して詳細な説明は適宜省略する。
【００２２】
図１に示すように、小便器１０は、トイレ空間の床または壁に設置され、使用者の尿を受けるボウル部であるボウル面１２を有しており、ボウル面１２を洗浄する洗浄水は給水源（図示なし）に接続された給水管１４から吐水部１６へ供給される。吐水部１６は、ボウル部１２に洗浄水を吐水し洗浄する。吐水部１６はボウル面１２の上部に設けられている。ボウル面１２の底部には、洗浄水が排水される円形の排水口１８が形成されている。排水口１８から下方に形成される排水トラップ２０は、排水口１８から下方に延びる下降流路２２と、下降流路２２の下端から連続して、下方向から上方向に流路を折り返す折返流路である屈曲部２４と、屈曲部２４の下流端から上方に延びる上昇流路２６とによって一体的に形成される。つまり、排水トラップ２０においては、屈曲部２４により、排水口１８から下向きに流れてきた洗浄水の流れが上向きに変更される。
【００２３】
排水トラップ２０の下部には、下水からの臭気等のトイレ空間への侵入を防ぐため、洗浄水が所定量溜まって溜水が形成されており、この溜水によって排水トラップ２０に封水が形成される。つまり、排水トラップ２０は、排水口１８よりも下流側に封水を形成する。
【００２４】
排水トラップ２０の上昇流路２６の下流側に、洗浄水を小便器１０の外部へ排出する排水管路２８が設けられている。この排水管路２８は、上昇流路２６の下流端から連続的に形成されている接続管路２７によって、排水トラップ２０と接続される。詳細には、接続管路２７は、水平方向に排水管路２８に向かって延び、排水管路２８と接続される接続口２９において円筒状の排水管路２８と接続されている。排水管路２８は、洗浄水が流れやすいように上流側から下流側に向かって緩やかに下り傾斜しつつ、下水管(図示なし)の方向に延びている。なお、接続管路２７は排水トラップ２０と一体的に形成されているが、樹脂等を用いて別体として成形してもよい。
【００２５】
排水口１８には、目皿３０が着脱可能に設置される。目皿３０は、排水口１８の外形に沿った円形の部材である。目皿３０は、排水口１８よりも少し大きく形成されている。このため、排水口１８の縁と目皿３０の外縁３２が当接することでボウル面１２の下部に目皿３０が載置される。
【００２６】
以上のような構成を備える小便器１０において、吐水部１６から吐出された洗浄水は、ボウル面１２を伝って下方に流れ、目皿３０の中央部に形成された複数の小さい開口である小開口３４（図２）から排水トラップ２０へ流出する。目皿３０を載置することで、小開口３４より大きい異物が排水トラップ２０内に侵入するのを防ぐことができる。更に目皿３０の底面には、後述する水流変更手段である螺旋部３６が設けられている。
【００２７】
次に図２、図３を参照しつつ、目皿３０に設置された螺旋部３６について説明する。図２は、目皿３０の上面図である。目皿３０は、平らな底部を有する円形のお椀のように形成されている。目皿３０の下部（底部）の中央部に、洗浄水を排水トラップ２０へ流出させるための３つの小開口３４が設けられている。小開口３４は、目皿３０の内底面から下面に貫通するように設けられている。
【００２８】
目皿３０の下面には、水流変更手段である螺旋部３６が一体的に形成されている。螺旋部３６の螺旋構造は、目皿３０の下面中央から、一定の幅を有する板が、その板面を略上下方向に向けて、半径を目皿３０の半径よりも小さい大きさで一定として回転しながら回転面に対して垂直成分の下方向に下降するように延びて形成されている。螺旋部３６の螺旋構造は、上面視、反時計回りに３巻分渦巻いている。なお、螺旋構造の幅や巻数は、排水トラップ２０の形状や径の大きさから適宜設定するものである。
【００２９】
図４に示すように、目皿３０をボウル面１２の下部に載置すると、目皿３０の下部から下方に延びる螺旋部３６は、排水トラップ２０の下降流路２２内に位置する。このように、排水トラップ２０の下降流路２２内に位置する螺旋部３６は、後述のとおり屈曲部２４内の外周側を流れる洗浄水を屈曲部２４内の内周側に導く。特に、螺旋部３６は、排水トラップ２０内を流れる洗浄水に旋回流を発生させることで、屈曲部２４内の外周側を流れる洗浄水を屈曲部２４内の内周側に導く。そして、本実施形態では、螺旋部３６は、排水トラップ２０内の屈曲部２４の上流側に配設され、排水トラップ２０の流れ方向を軸として洗浄水を旋回させる螺旋構造として設けられている。なお、本実施形態では、目皿３０と一体的に構成された螺旋部３６が、排水トラップ２０内を流れる洗浄水に旋回流を発生させるための構成として設けられているが、かかる構成としては、螺旋部３６のような螺旋状の形状部分に限らず、例えば排水トラップ２０の内壁において旋回流を生じさせるように形成された突起部分や突条部分等であってもよい。
【００３０】
次に螺旋部３６を有する目皿３０をボウル面１２の下部に設置した状態での洗浄水の流れを説明する。吐水部１６から吐出された洗浄水は、ボウル面１２を伝って下方に流れ、目皿３０の小開口３４から排水トラップ２０に排出される。小開口３４から排出された洗浄水が下降流路２２内に位置する螺旋部３６に沿って流れることで、洗浄水による旋回流が形成される。下降流路２２を通ることで螺旋部３６によって旋回流となった洗浄水は、屈曲部２４の外周側の流れを内周側に導き、上昇流路２６を通るときも矢印Ａのように旋回したまま排水トラップ２０の下流方向へ流れていく。つまり、下降流路２２内において螺旋部３６により生じた旋回流は、屈曲部２４を経た後も維持され、上昇流路２６内を進んでいく。なお、旋回流とは、流体が流れ方向に平行なある軸を中心として回転しながら流れる流れのことである。
【００３１】
螺旋部３６によって排水トラップ２０に流入する洗浄水を旋回流とすることで、螺旋部３６の無い目皿３０を設置した場合、つまり下降流路２２内に螺旋部３６が存在しない場合と比べて、排水トラップ２０の流路内の洗浄水の流れが乱れる。すなわち、螺旋部３６によって排水トラップ２０内に旋回流を生じさせることで、排水トラップ２０内を流れる洗浄水について攪拌作用が得られる。これにより、上昇流路２６の屈曲部２４直後の流路内周側において発生する淀みを打ち消すことができる。この淀みの原因の一つに、図５に示すように、上昇流路２６の一部分の流れが、矢印Ｂのように逆流してしまうことが挙げられる。詳細には、排水トラップ２０内において生じる淀みは、屈曲部２４における洗浄水の流れの変化によるものである。屈曲部２４を流れる液体のうち、外周側部分を流れる液体は、屈曲部２４の外周側の内壁面に沿って矢印Ｃのように接続管路２７へ流れていく。一方、屈曲部２４の内周側部分を流れる液体は、ある位置より下流では矢印Ｂのように逆流する。
【００３２】
従来の排水トラップ２０の形状では、排尿後に洗浄水を流して尿濃度の高い液体を置換しようとしても、上昇流路２６の一部分において逆流が発生し、その部分において尿濃度の高い液体が淀み、その液体が排出されず排水トラップ２０内に残り置換率の低下を招いている。
【００３３】
そこで旋回流を用いて淀みを解消することが、置換率の向上につながる。そのために螺旋部３６を用いて、屈曲部２４の内周側を流れる洗浄水は外周側に導かれるように、一方、屈曲部２４の外周側を流れる洗浄水は内周側に導かれるように水流を変更することで、流路の流れ方向に対して回転する旋回流を発生させる。これにより、排水トラップ２０内の洗浄水が攪拌され、上昇流路２６の一部分に発生していた淀みが旋回流によって解消され、尿濃度の高い液体を排水管路２８へ排出することで、排水トラップ２０内の溜水の置換率を上げることができる。
【００３４】
次に他の実施形態について、図６を用いて説明する。この他の実施形態は、螺旋部３６に代えて、旋回流を発生させるための水流変更手段を目皿３０自体に設けた点で、上述した実施形態と異なる。
【００３５】
図６に示すように、目皿３０の内底面には小開口３４が設けられている。小開口３４は、円弧状の長穴であり、その円弧状の穴形状を円形の目皿３０の外形に沿わせて目皿３０の円周方向に等間隔に３つ設けられている。このように複数の小開口３４を有する目皿３０は、小開口３４よりも外側の部分であって略円環状の外周部と、小開口３４よりも内側の部分であって略円板状の中央部と、互いに隣り合う小開口３４間の部分であって外周部と中央部とを繋ぐ連結部とを有する態様となる。
【００３６】
目皿３０の表面には、小開口３４に連続するように、水流変更手段である溝３８が形成されている。溝３８は、目皿３０の中央部に設けられた小開口３４の長手方向の一端部から、上面視、目皿３０の外縁３２に向かって緩やかに時計回りにカーブしている。本実施形態では、各小開口３４において１本の溝３８が、上面視で小開口３４の反時計方向の端部に連続するように設けられている。したがって、目皿３０は、３本の溝３８を有する。３本の溝３８は、上記のとおり緩やかにカーブしており、目皿３０の上面視において反時計回りの方向の渦巻状の流れ、つまり旋回流を生じさせる。
【００３７】
小便器１０に、３本の溝３８が形成された目皿３０を設置することで洗浄水を旋回流として排水トラップ２０に導くことができる。具体的には、吐水部１６から吐出された洗浄水は、ボウル面１２を伝って、小便器１０の下部まで流れ、目皿３０の小開口３４から排水トラップ２０に排出される。小開口３４に向かう洗浄水の一部は、目皿３０の表面に設けられた溝３８を通って小開口３４から排出される。溝３８に沿って流れた洗浄水は、反時計回りに回転力を得て、旋回流となって小開口３４から排水トラップ２０に排出される。この旋回流により、上昇流路２６の一部分において発生する淀みを打ち消すことができる。
【００３８】
更に、他の実施形態について図７、図８を用いて説明する。この他の実施形態は、螺旋部３６又は溝３８に代えて、屈曲部２４の外周側を流れる洗浄水を内周側に導くための水流変更手段を屈曲部２４の底部に設けた点で、上述した実施形態と異なる。
【００３９】
水流変更手段である偏向部４０は、排水トラップ２０の内壁に設けられる。詳細には、偏向部４０は、屈曲部２４の底部に設けられ、所定の幅を有する板状のもので、屈曲部２４の底部から右上方向（図７における右上方向）に向かって、屈曲部２４の外形に沿うように曲がりながら延びている。
【００４０】
偏向部４０によって、屈曲部２４の外周側を流れる洗浄水は、偏向部４０にぶつかり、矢印Ｄのように屈曲部２４の内周側に導かれるので、淀みが発生する上昇流路２６の左側（内側、図８において左側）に洗浄水がぶつかり、淀みを打ち消すことができる。
【００４１】
以上のように、本実施形態に係る小便器１０によれば、水流変更手段を用いて、屈曲部２４の外周側を流れる洗浄水を屈曲部２４の内周側に導くので、淀みを打ち消し溜水の置換率を上げることができる。
【００４２】
以上本発明の実施形態を詳述したがこれはあくまで一例示であり、本発明はその趣旨を逸脱しない範囲において種々変更を加えた形態で構成可能である。
【符号の説明】
【００４３】
１０    小便器
１２    ボウル面
１４    給水管
１６    吐水部
１８    排水口
２０    排水トラップ
２２    下降流路
２４    屈曲部
２６    上昇流路
２７    接続管路
２８    排水管路
２９    接続口
３０    目皿
３２    外縁
３４    小開口
３６    螺旋部
３８    溝
４０    偏向部
【図１】
2015063862.tif 000003
【図２】
2015063862.tif 000004
【図３】
2015063862.tif 000005
【図４】
2015063862.tif 000006
【図５】
2015063862.tif 000007
【図６】
2015063862.tif 000008
【図７】
2015063862.tif 000009
【図８】
2015063862.tif 000010